(57)【特許請求の範囲】
【請求項１】
腹部から大腿部に至る身体の左右側面で各々が上下方向へ長尺状に延びる状態に位置される一対の長尺状弾性材と、
該一対の長尺状弾性材の各々が全長に渡って挿入されて保持され、該長尺状弾性材の上部、中央部、下部に各々対応し、上部、中央部及び下部が構成される一対の長尺状弾性材挿入鞘と、
該一対の長尺状弾性材挿入鞘の各々であって、上部、中央部及び下部の各々に、左右方向に延びるように取り付けられた上部のベルト、中央部のベルト及び下部のベルトとを備え、
前記一対の長尺状弾性材の各々中央部が、前記一対の長尺状弾性材挿入鞘の各々中央部を介し、前記身体の骨盤の左右側面に各々位置されるように、前記中央部のベルトが、前記身体の骨盤の高さ位置であって背中側に廻されてつなぎ合わされるように設けられ、
前記一対の長尺状弾性材の各々上部が、前記身体の骨盤の左右側面の各々上側で、前記一対の長尺状弾性材挿入鞘の各々上部を介し、身体の前方内側下向きに湾曲されるように、前記上部のベルトが、前方に引っ張って廻されて他のベルトや前記長尺状弾性材挿入鞘につなぎ合わされるように設けられ、
前記一対の長尺状弾性材の各々下部が、前記身体の骨盤の左右側面の各々下側で、前記一対の長尺状弾性材挿入鞘の各々下部を介し、身体の前方内側上向きに湾曲されるように、前記下部のベルトが、前方に引っ張って廻されて他のベルトや前記長尺状弾性材挿入鞘につなぎ合わされるように設けられていることを特徴とする腰痛防止サポータ。
【請求項２】
前記一対の長尺状弾性材が超弾性特性を備える形状記憶合金であることを特徴とする請求項１記載の腰痛防止サポータ。
【発明の詳細な説明】
【技術分野】
【０００１】
腰痛を予防するサポータ。          
【背景技術】
【０００２】
従来、前屈姿勢の作業を伴う農作業、荷役作業、介護には腰痛が起こるという問題があり、その対策として胴回り又は骨盤周りに巻くベルトが主として用いられていた。しかし腰痛対策としては不十分であった。
【０００３】
又、パワーアシストスーツと称して開発されている製品もあるが、大規模で高価であるため現場での実用性に難点があった。従って、介護現場においては特に使い勝手を考え、安価で、構造も簡単で、しかも下着のような使い方で装着出来る物が求められている。
【０００４】
先行技術文献としては下記のものが提案されているが、特許文献１はばね応力発生の構造が複雑なため、コスト高となり、故障の危険性も高くなる。また身体への装着にも複雑さがあり、更に構造物が身体同士で密着することの多い介護作業者および介護サービス利用者に対して違和感を与える懸念があり、介護用には実用が困難である。
【０００５】
特許文献２は上半身を積極的に吊り上げる方式のため、効果は抜群であるが使用場所が限定され、コストも高くなり実用的でない。特許文献３は背面から上半身を引き起こす作用は若干の効果が期待できるが、骨盤から上の身体は、屈曲の程度がわずかであるため、力の作用がわずかにしか発生しない。特許文献４は上半身を前に倒した場合に、上半身を押し上げる力はわずかであり、効果が少ない。特許文献５は腰部に刺激を与える効果のみにて、前屈姿勢の上半身を押し上げる効果はわずかである。
【先行技術文献】
【特許文献】
【０００６】
【特許文献１】特許公開２００３-１４４４６７
【特許文献２】特許公開２００２−１７７９５
【特許文献３】特許公開２００４−２８３４２３
【特許文献４】特許公開２００４−３２１２８１
【特許文献５】実用新案出願２００３−２７３５１０
【特許文献６】実用新案出願２００５−８０８０
【発明の概要】
【発明が解決しようとする課題】
【０００７】
上記その他各々の特許文献に示されているものは、使用場所が限定され、コストも高く、前屈姿勢に対する効果が不十分な物ばかりである。コストも低く、使用場所が限定されることも無く、特に高齢社会を支える介護者用に実用性が高く、且つ下着として着用しながら前屈姿勢を楽にしようとするのが発明により解決しようとする課題である。
【課題を解決するための手段】
【０００８】
本発明は、上記課題を解決するために次の構成を備える。
本発明にかかる腰痛防止サポータの一形態によれば、腹部から大腿部に至る身体の左右側面で各々が上下方向へ長尺状に延びる状態に位置される一対の長尺状弾性材と、該一対の長尺状弾性材の各々が全長に渡って挿入されて保持され、該長尺状弾性材の上部、中央部、下部に各々対応し、上部、中央部及び下部が構成される一対の長尺状弾性材挿入鞘と、該一対の長尺状弾性材挿入鞘の各々であって、上部、中央部及び下部の各々に、左右方向に延びるように取り付けられた上部のベルト、中央部のベルト及び下部のベルトとを備え、前記一対の長尺状弾性材の各々中央部が、前記一対の長尺状弾性材挿入鞘の各々中央部を介し、前記身体の骨盤の左右側面に各々位置されるように、前記中央部のベルトが、前記身体の骨盤の高さ位置であって背中側に廻されてつなぎ合わされるように設けられ、前記一対の長尺状弾性材の各々上部が、前記身体の骨盤の左右側面の各々上側で、前記一対の長尺状弾性材挿入鞘の各々上部を介し、身体の前方内側下向きに湾曲されるように、前記上部のベルトが、前方に引っ張って廻されて他のベルトや前記長尺状弾性材挿入鞘につなぎ合わされるように設けられ、前記一対の長尺状弾性材の各々下部が、前記身体の骨盤の左右側面の各々下側で、前記一対の長尺状弾性材挿入鞘の各々下部を介し、身体の前方内側上向きに湾曲されるように、前記下部のベルトが、前方に引っ張って廻されて他のベルトや前記長尺状弾性材挿入鞘につなぎ合わされるように設けられている。
また、本発明にかかる腰痛防止サポータの一形態によれば、前記一対の長尺状弾性材が超弾性特性を備える形状記憶合金であることを特徴とすることができる。
本発明は腹部側面部及び骨盤側面部から大腿側面部に至る部分に一対の弾性材を配置した腰痛防止サポータである。
【発明の効果】
【０００９】
本発明になる腰痛予防サポータは構造が簡単で、装着も簡単であり前屈姿勢の作業を行うとき弾性材が屈曲してその復元力により身体を支え、姿勢を元に戻すときは弾性材の力により楽に戻すことが出来る。さらに弾性材はわずかなベルトでつながれているので軽量であり、又ベルトは股間部を避けているので下着として着用の上にズボンを穿いての作業に支障がない。
【００１０】
また構造物が、密着する自他の身体に違和感を与えることもなく、介護者用にも適用が可能である。
【図面の簡単な説明】
【００１１】
【図１】本発明になる腰痛予防サポータの実施例の正面図
【図２】同腰痛予防サポータを身体に着けたときの正面図
【図３】同腰痛予防サポータを身体に着けたときの背面図
【図４】同腰痛予防サポータを身体に着けたときの側面図
【図５】同腰痛予防サポータを身体に着けたときの他の実施例を示す側面図
【図６】同腰痛予防サポータを身体に着けて腰をかがめたところを示す側面図
【図７】本発明になる腰痛予防サポータのもう一つの実施例の正面図
【図８】もう一つの実施例の腰痛予防サポータを身体に着けたときの正面図
【発明を実施するための形態】
【００１２】
以下添付図面に従って実施例を説明する。
【００１３】
図１において３は屈曲可能な弾性材挿入鞘であり、左右一対設けられている。弾性材挿入鞘３の中にはその上下端に設けられた弾性材ホルダー２により弾性材１が保持されている。各々の弾性材挿入鞘３の上部には腹部引っ張りベルト５a、５bが取り付けられ、その先端には連結テープ８a、８bが設けられている。弾性材挿入鞘３の下部には各々股部引っ張りベルト６a、６bが取り付けられ、その先端には連結テープ９a、９bが設けられている。さらに各々の弾性材挿入鞘３の中央部には背面方向引っ張りベルト４a、４bが取り付けられ、その先端には連結テープ７a、７bが設けられている。又、反対の端にも連結テープ１０a、１０bが設けられ、その付近の弾性材挿入鞘３にも連結テープ１１a、１１bが設けられている。なお連結テープはバックルに換えることも可能である。
【００１４】
図２、図３及び図４はこの腰痛予防サポータを身体に取り付けたところを表し、腹部引っ張りベルト５a、５bは腹部の方へ引っ張って廻し各々の先端に設けられた連結テープ８a、８bでつなぎ合わせる。背面方向引っ張りベルト４a、４bは骨盤周囲の位置で背中側に引っ張って廻して各々の先端に設けられた連結テープ７a、７bでつなぎ合わせる。股部引っ張りベルト６a、６bは前方へ引っ張って行き、各々反対側の弾性材挿入鞘３の連結テープ１１a、１１bかその付近に取り付けられた背面方向引っ張りベルト４a、４bの連結テープ１０a、１０bにつなぎ合わせる。このようにすることにより弾性材１は骨盤の左右側面に位置し、その中央は背面方向引っ張りベルト４a、４bで後方に引かれ、上下は腹部引っ張りベルト５a、５bと股部引っ張りベルト６a、６bで前方に引かれ弾性材1と弾性材挿入鞘３は後方に湾曲する。各ベルトの引っ張りの強さは必要に応じ調整する。
【００１５】
図５は胴周りに、そこの締め付け効果のある背面延長ベルト１２を、また股関節下の大腿部にせり上がり防止ベルト１３を巻いた他の実施例であり、この様にすることにより本発明になる腰痛予防サポータの性能はさらに向上する。
【００１６】
図６は本発明になる腰痛予防サポータを着けて前屈姿勢になったところを示し、このとき屈曲した弾性材１により曲がった腰の負担を減らし、腰を伸ばすときは弾性材１の弾力を利用するので楽である。
【００１７】
図７は本発明の腰痛予防サポータのもう一つの実施の形態である。
【００１８】
股部引っ張りベルト６a、６bを前方に引っ張って、下腹部にてその先端の連結テープ９a、９bをつなぎ合わせる方法である。
【００１９】
この方法では弾性材１および弾性材挿入鞘３の下部が引っ張り力により前方上向きに湾曲するので、下腹部にて不自然なく連結テープ９a、９bをつなぎ合わせることができて、装着の作業が容易である。
【００２０】
図８は図７の腰痛予防サポータを装着した実施例であり、図６とほとんど同様に前屈姿勢において湾曲した弾性材１の復元力により身体を支える機能を発生させることができる。
【００２１】
本発明に適用する弾性材１は、鉄系のばね材料では身体を大きく前屈させた時に弾性限界を超えて永久変形を生ずるので、形状記憶合金を適用して超弾性特性を応用すると、ばねに対して過大な応力の発生がなく、身体に対しても圧力の増加が少ないので快適で、効果的である。
【符号の説明】
【００２２】
１        弾性材
２        弾性材ホルダー
３        弾性材挿入鞘
４a       背面方向引っ張りベルト
４b       背面方向引っ張りベルト
５a       腹部引っ張りベルト
５b       腹部引っ張りベルト
６a       股部引っ張りベルト
６b       股部引っ張りベルト
７a       連結テープ
７b       連結テープ
８a       連結テープ
８b       連結テープ
９a       連結テープ
９b       連結テープ
１０a  連結テープ
１０b  連結テープ
１１a  連結テープ
１１b  連結テープ
１２   背面延長ベルト
１３   せり上がり防止ベルト
【図１】
0005684677.tif 000002
【図２】
0005684677.tif 000003
【図３】
0005684677.tif 000004
【図４】
0005684677.tif 000005
【図５】
0005684677.tif 000006
【図６】
0005684677.tif 000007
【図７】
0005684677.tif 000008
【図８】
0005684677.tif 000009